(57)【要約】【課題】  原稿の読み取りを実行する際に、ユーザが眩しいと感じる期間を短くすることのできる画像読取装置及び画像読取装置の制御方法を提供する。【解決手段】  設定されている原稿読み取りのモードを判定する（Ｓ２１）。原稿読み取りモードとして、『原稿サイズ検出モード』が設定されている場合には（Ｓ２２／Ｙｅｓ）、原稿サイズの検出処理を実行し（Ｓ２３）、原稿サイズの検出処理後にランプ３を消灯せずにそのまま原稿内容の読み取り処理を実行する（Ｓ２４）。他方、原稿読み取りモードとして、『原稿サイズ指定モード』が設定されている場合には（Ｓ２２／Ｎｏ）、指定されている原稿サイズで、原稿内容の読み取り処理を行う（Ｓ２５）。【選択図】  図１１
2007081868.tif 000002
【特許請求の範囲】
【請求項１】
原稿照射手段により原稿を照射し反射光を受光することで前記原稿を読み取る画像読取装置であって、
前記原稿照射手段により原稿を照射することで複数ラインの画像データを取得し、該画像データに基づいて前記原稿の原稿サイズを検出する原稿サイズ検出処理の要否を、原稿の読み取りに関する設定に基づいて判定する判定手段と、
前記判定により原稿サイズ検出処理が必要と判定された場合には、前記原稿サイズ検出処理を実行して前記原稿を読み取り、前記判定により原稿サイズ検出処理が不要と判定された場合には、前記原稿サイズ検出処理を実行せずに前記原稿を読み取る原稿読取実行手段と、を備えることを特徴とする画像読取装置。
【請求項２】
前記判定手段は、予め原稿サイズが指定されているときに前記原稿サイズ検出処理が不要であると判定することを特徴とする請求項１記載の画像読取装置。
【請求項３】
前記原稿サイズ検出処理の実行後に、前記原稿照射手段を消灯せずに前記読み取り処理を実行することを特徴とする請求項１または２に記載の画像読取装置。
【請求項４】
前記原稿読取実行手段は、前記原稿サイズ検出処理において前記原稿サイズの検出に失敗した場合には、前記原稿の読み取りを行わないことを特徴とする請求項１から３のいずれか１項に記載の画像読取装置。
【請求項５】
前記原稿読取実行手段は、前記サイズ検出処理において前記原稿サイズの検出に失敗した場合に、その旨を外部に報知することを特徴とする請求項４記載の画像読取装置。
【請求項６】
原稿照射手段により原稿を照射し反射光を受光することで前記原稿を読み取る画像読取装置の制御方法であって、
前記原稿照射手段により原稿を照射することで複数ラインの画像データを取得し、該画像データに基づいて前記原稿の原稿サイズを検出する原稿サイズ検出処理の要否を、原稿の読み取りに関する設定に基づいて判定する第１の工程と、
第１の工程において原稿サイズ検出処理が必要と判定された場合には、前記原稿サイズ検出処理を実行して前記原稿を読み取る第２の工程と、
第１の工程において原稿サイズ検出処理が不要と判定された場合には、前記原稿サイズ検出処理を実行せずに前記原稿を読み取る第３の工程と、
を、行うことを特徴とする画像読取装置の制御方法。
【発明の詳細な説明】
【技術分野】
【０００１】
本発明は、画像読取装置及び画像読取装置の制御方法に関する。
【背景技術】
【０００２】
従来の画像読取装置においては、原稿サイズを検知するための赤外線センサを設け、該赤外線センサで原稿サイズの検出を行っていたが、近年の画像読取装置では、赤外線センサではなく原稿読み取り用のラインセンサで原稿サイズの検出を行っている。
【０００３】
原稿サイズを検出する際には、主走査サイズのみならず副走査方向のサイズも検出する必要があるが、副走査方向の原稿サイズ検知を行おうとすると、原稿面をプレスキャンする必要が出てくる。これだとスキャン速度等に影響を及ぼしてしまうので、実際には副走査方向の原稿サイズ検出は従来通り赤外線センサにて行い、主走査方向の原稿サイズの検出をラインセンサで行う方式が主流となっている。
【０００４】
このような画像読取装置に関する技術としては、次のものが知られている。
【０００５】
特許文献１に記載の原稿サイズ検知装置は、原稿内は白、原稿外は黒であるとして主走査方向の原稿サイズを判断し、原稿内に黒が来てしまった場合にはラインセンサ読み取り位置を移動させ原稿内が白のラインにてサイズ検知を行う。これにより、原稿サイズの特定しにくい原稿がセットされても原稿のサイズを検知することが可能となっている。
【０００６】
また、特許文献２に記載の原稿サイズ検出装置は、特許文献１に記載の原稿サイズ検知装置と検出動作が同じであるが、ランプが点いた場合とランプが消えた場合との２条件でデータを取ってサイズ検知を行う。これにより、外乱光の影響を回避することが可能となっている。
【０００７】
また、特許文献３に記載の原稿サイズ検知装置は、特許文献１に記載の原稿サイズ検知装置と検出動作が同じであるが、主走査方向複数点でのラインセンサの読取データを用いて主走査原稿サイズを検知する。
【特許文献１】特開平１０−２５７２５５号公報
【特許文献２】特開２０００−１３８７９８号公報
【特許文献３】特開２００３−１９８８０９号公報
【発明の開示】
【発明が解決しようとする課題】
【０００８】
従来の画像読取装置において、圧板が開いた状態でサイズ検知を行う場合に、原稿がコンタクトガラス上にないと、ユーザの視界に直接ランプの光が入り眩しいと感じてしまうという欠点があった。特に、近年増加傾向にあるカラー読取可能なスキャナにおいては、必要な光量が白黒スキャナに比べて大きいため、ユーザの視界視野に与える影響は大きく、この問題点は無視できないものとなっている。
【０００９】
上述の特許文献１、特許文献２、特許文献３では、このユーザの視界への影響について全く触れていない。
【００１０】
本発明は、上記の問題点に鑑みてなされたものであり、原稿の読み取りを実行する際に、ユーザが眩しいと感じる期間を短くすることのできる画像読取装置及び画像読取装置の制御方法を提供することを目的とする。
【課題を解決するための手段】
【００１１】
請求項１記載の発明は、原稿照射手段により原稿を照射し反射光を受光することで前記原稿を読み取る画像読取装置であって、前記原稿照射手段により原稿を照射することで複数ラインの画像データを取得し、該画像データに基づいて前記原稿の原稿サイズを検出する原稿サイズ検出処理の要否を、原稿の読み取りに関する設定に基づいて判定する判定手段と、前記判定により原稿サイズ検出処理が必要と判定された場合には、前記原稿サイズ検出処理を実行して前記原稿を読み取り、前記判定により原稿サイズ検出処理が不要と判定された場合には、前記原稿サイズ検出処理を実行せずに前記原稿を読み取る原稿読取実行手段と、を備えることを特徴とする。
【００１２】
請求項２記載の発明は、請求項１記載の画像読取装置において、前記判定手段は、予め原稿サイズが指定されているときに前記原稿サイズ検出処理が不要であると判定することを特徴とする。
【００１３】
請求項３記載の発明は、請求項１または２に記載の画像読取装置において、前記原稿サイズ検出処理の実行後に、前記原稿照射手段を消灯せずに前記読み取り処理を実行することを特徴とする。
【００１４】
請求項４記載の発明は、請求項１から３のいずれか１項に記載の画像読取装置において、前記原稿読取実行手段は、前記原稿サイズ検出処理において前記原稿サイズの検出に失敗した場合には、前記原稿の読み取りを行わないことを特徴とする。
【００１５】
請求項５記載の発明は、請求項４記載の画像読取装置において、前記原稿読取実行手段は、前記サイズ検出処理において前記原稿サイズの検出に失敗した場合に、その旨を外部に報知することを特徴とする。
【００１６】
請求項６記載の発明は、原稿照射手段により原稿を照射し反射光を受光することで前記原稿を読み取る画像読取装置の制御方法であって、前記原稿照射手段により原稿を照射することで複数ラインの画像データを取得し、該画像データに基づいて前記原稿の原稿サイズを検出する原稿サイズ検出処理の要否を、原稿の読み取りに関する設定に基づいて判定する第１の工程と、第１の工程において原稿サイズ検出処理が必要と判定された場合には、前記原稿サイズ検出処理を実行して前記原稿を読み取る第２の工程と、第１の工程において原稿サイズ検出処理が不要と判定された場合には、前記原稿サイズ検出処理を実行せずに前記原稿を読み取る第３の工程と、を、行うことを特徴とする。
【発明の効果】
【００１７】
本発明により、画像読取装置の設定に応じては、原稿読み取り処理に先立って行う原稿サイズ検出処理を実行しないので、画像読取装置１のユーザがランプ光により眩しいと感じる期間を減らすことが可能となり、ユーザに資することが可能となる。
【発明を実施するための最良の形態】
【００１８】
以下、本発明の画像読取装置について、実施の形態に即して具体的に説明する。
【００１９】
＜画像読取装置＞
まず、図１、図２を参照して、本実施形態の画像読取装置の構成を説明する。図１は、画像読取装置１の概略構成を示す側面図であり、図２は、画像読取装置１の駆動系の構成を示す斜視図である。
【００２０】
画像読取装置１は、コンタクトガラス２と、第１のキャリッジ７と、第２のキャリッジ８と、レンズ９、ＣＣＤ１０と、駆動ワイヤ１１と、プーリ１２と、ホームポジションセンサ１３と、駆動軸１４と、ワイヤプーリ１５と、タイミングプーリ１６と、タイミングベルト１７と、モータ１８と、を有して構成される。
【００２１】
なお、第１のキャリッジ７には、ランプ３と、第１のミラー４とが搭載されており、第２のキャリッジ８には、第２のミラー５と、第３のミラー６とが搭載されている。
【００２２】
第１のキャリッジ７は駆動ワイヤ１１に取り付けられており、第２のキャリッジ８はプーリ１２を介して駆動ワイヤ１１に取り付けられている。また、駆動軸１４に繋がれたワイヤプーリ１５が駆動ワイヤ１１に巻きつけられており、タイミングプーリ１６とタイミングベルト１７によって、モータ１８の駆動を伝達することで、第１のキャリッジ７及び第２のキャリッジ８が図１の左右方向に移動する。
【００２３】
なお、第１のキャリッジ７と第２のキャリッジ８との移動速度比は２：１となっており、第１のキャリッジ７が移動する距離Ｌは、第２のキャリッジ８が移動する距離の２倍となっている。これにより光学系の光路長が一定に保たれており、キャリッジがどの地点にあっても、同一の条件（光路長）でＣＣＤ１０による受光が可能となっている。
【００２４】
また、第１のキャリッジ７、第２のキャリッジ８は、第１キャリッジ７の一端がホームポジションセンサ１３を横切ってから一定距離をリターンさせた位置をホームポジションとしている。
【００２５】
画像読取装置１の動作について説明する。第１のキャリッジ７のランプ３は、コンタクトガラス２上に置かれた原稿に対して光ビームを照射する。そして、該光ビームの反射光を、第１のミラー４、第２のミラー５、第３のミラー６によって反射して、レンズ９に導光する。レンズ９は、導光された反射光を集光し、ＣＣＤ（Charge Coupled Device／電荷結合素子）１０上に結像する。ＣＣＤ１０は、光信号を電気信号に変換し、後述するＩＰＵ２２に入力する。
【００２６】
＜内部回路＞
次に、図３を参照して、本実施形態の画像読取装置１の内部回路について説明する。
【００２７】
画像読取装置１は、内部回路として、ＣＰＵ２０と、ＲＡＭ２１と、ＩＰＵ２２と、コントロールパネル制御部２３と、コントロールパネル３０と、を有して構成される。
【００２８】
ＣＰＵ（Central Processing Unit）２０は、画像読取装置１の全体制御を行う中央演算処理装置である。ＲＡＭ（Random Access Memory）２１は、ＩＰＵ２２などの各機構の制御プログラムやパラメータを保持する。
【００２９】
ＩＰＵ２２（Image Processing Unit）２２は、画像処理制御ユニットであり、上述のＣＣＤ１０から送られてきた電気信号を処理することで画像データを生成し、該画像データを後段の機構（プリンタ部）に送る。
【００３０】
コントロールパネル制御に２３は、コントロールパネル３０の液晶ディスプレイに表示する表示内容の制御や、コントロールパネル３０から選択入力されたコマンドをＣＰＵ２０に送る入力制御などを行う。コントロールパネル３０は、ユーザへの装置状態の表示や、ユーザからのコマンド入力を受け付ける操作部であり、タッチパネル方式の液晶ディスプレイを含んで構成される。
【００３１】
図４は、ＩＰＵ２２内の回路構成を示す。ＩＰＵ２２は、画像処理モジュール２４と、メモリ制御部２５と、ラインメモリ２６と、を有して構成される。
【００３２】
画像処理モジュール２４は、ＣＣＤ１０から送られてきた電気信号を画像データに変換し、該画像データに各種の画像処理を行う。具体的には、シェーディング補正、γ補正、平滑化処理などのスキャナ画像補正や、変倍処理、ＭＴＦ補正などの補正処理を行う。
【００３３】
メモリ制御部２５は、ラインメモリ２６へのメモリ処理の制御を行う。具体的には、後述する原稿サイズの検知動作を行う場合に、画像データをラインメモリ２６に蓄積する。なお、ＣＰＵ２０とＩＰＵ２２とは回路的に接続されているので、ＣＰＵ２０からメモリ制御部２５を制御することで、ラインメモリ２６のデータリード／ライトが可能となっている。
【００３４】
図５は、ＩＰＵ２２内の回路間でやり取りされる各種信号を示す。
【００３５】
画像処理モジュール２４は、ラインセンサ読み取り１ラインの基準となるＸＬＳＹＮＣ信号と、画素クロックであるＰＣＬＫと、ラインセンサ読み取り開始トリガを示すＸＦＳＹＮＣ信号と、をメモリ制御部２５に送る。メモリ制御部２５は、該信号を受け取った後で、ラインメモリ２６にＸＷＲＳＴ信号（ライトリセット信号）と、ＸＷＥ信号（ライトイネーブル信号）と、を渡す。
【００３６】
また、メモリ制御部２５は、「主走査スタート」、「主走査幅」、「副走査スタート」、「副走査幅」というメモリライト領域を示す４つのパラメータをＣＰＵ２０から受け取り、ＸＦＳＹＮＣ、ＸＬＳＹＮＣからラインメモリ２６のライト位置を確定する。
【００３７】
図６は、副走査方向に関する信号（ＸＦＳＹＮＣ、ＸＬＳＹＮＣ、ＸＷＲＳＴ、ＸＷＥ）のタイミングチャートを示し、図７は、主走査方向に関する信号（ＸＬＳＹＮＣ、ＰＣＬＫ、ＸＷＲＳＴ、ＸＷＥ）のタイミングチャートを示す。
【００３８】
上述のようにＩＰＵ２２を構成することにより、図８に示すような主走査、副走査の２次元方向の複数パッチのデータを同時にラインメモリ２６に書き込むことが可能となっている。図８において斜線部がメモリ書込み領域を示す。
【００３９】
ここでは、パラメータ、タイミングとして主走査方向、副走査方向を用いているが、この副走査方向は原稿読み取りに対する副走査方向のみならず、時間の経過もあらわす。図８の横軸ｔは時間軸を示し、Ｔ１、Ｔ２は、そのタイミングでの読取パッチの位置を示す。
【００４０】
＜白黒判定処理＞
次に、画像データの白黒判定処理のフローについて説明する。ここでは、図８に示すパッチデータをラインメモリ２６から１パッチずつＲＡＭ２１に読み出し、ＣＰＵ２０において１パッチの平均値を求め２値化を行うことでパッチの白黒判定を行う。
【００４１】
図９は、白黒判定処理のフローを示す。
【００４２】
まず、１パッチ内の画素数を設定する（ステップＳ１）。次に、ラインメモリ２６から１画素単位でリードを行う（ステップＳ２）。
【００４３】
リード後、全画素数分読み取ったか否かの判定を行う（ステップＳ３）。具体的には、読み取った画素数が全画素数に達しているか否かの判定を行う。ここで、全画素数分読み取っていないと判定された場合には（ステップＳ３／Ｎｏ）、ステップＳ２に戻り次ライン画素のリードを行う。
【００４４】
全画素数分読み取ったと判定された場合には（ステップＳ３／Ｙｅｓ）、１パッチ内の平均値を求める（ステップＳ４）。そして、該平均値からパッチの黒画素、白画素の判定を行う（ステップＳ５）。具体的には、１パッチの平均値と所定の基準値とを比較し、基準値以下であれば当該パッチは濃度が低い、すなわち白と判定し、逆に基準値以上であれば当該パッチは濃度が高い、すなわち黒と判定する。
【００４５】
なお、本フローにおいては、全画素の読み取り後に全画素の全平均を求めることで平均値を算出しているが、例えば、主走査ライン単位で加算を行い１ラインでの平均を求め、その後次のラインの加算、平均値算出処理を繰り返すこと平均値を算出しても良い。いずれにしても、副走査方向の複数読み取り分について各々主走査方向に離散した複数箇所異なる各パッチ画像の画像データに対して所定の基準値を用いその比較結果によりパッチの白黒判定を行うようにしているので、簡単な処理で確実に白黒判定を行うことが可能となっている。
【００４６】
＜原稿サイズ検出処理＞
次に、図１０を参照して、原稿サイズの検出処理について説明する。図１０は原稿サイズの検出処理のフローを示す。
【００４７】
まず、原稿サイズの検出に必要な準備を行う（ステップＳ１１）。具体的には、図６、図７に示す原稿読み取りタイミングの設定などである。次に、原稿サイズの検出処理を行う。具体的には、ランプ３を点灯し（ステップＳ１２）、反射光をＣＣＤ１０で受光する（ステップＳ１３）。このとき、第１のキャリッジ７、第２のキャリッジ８を移動させて原稿を走査してサイズ検出を実行しても良いし、該キャリッジを原稿サイズ検知位置に停止させたままサイズ検出を行っても良い。
【００４８】
次に、原稿サイズを解析するために、ステップＳ１３で読み取った原稿の画像データの取り出しを行う（ステップＳ１４）。ここで、原稿の画像データの取り出しは、ラインメモリ２６に蓄積されたデータをＣＰＵ２０が読み出すことで行われる。
【００４９】
次に、上記取り出した画像データを解析し、原稿サイズの判定を行う（ステップＳ１５）。ここでは、上述の図９で説明した白黒判定処理を行うことで原稿サイズの判定を行う。具体的には、原稿サイズ検出のために設定した基準位置におけるパッチ画像の白黒判定を行うことで原稿サイズの判定を行う。
【００５０】
原稿サイズの判定に成功した場合には（ステップＳ１６／Ｙｅｓ）、該サイズ判定処理で判定された原稿サイズを読み取り対象の原稿のサイズとして設定する。（ステップＳ１７）。ここで、原稿サイズの設定とは、ＣＰＵ２０に接続されたプログラム実行用のメモリであるＲＡＭ２１に原稿サイズ情報を保存することであり、以降の処理においては、設定した原稿サイズ情報を読み出して利用する。
【００５１】
原稿サイズの判定に失敗した場合には（ステップＳ１６／Ｎｏ）、原稿サイズを設定せずに原稿サイズ検知動作を完了する。なお、原稿サイズの判定が失敗するケースとしては、原稿がもともと設置されていないケースや読み取り対象原稿が真黒な原稿であるために読み取りができないケース、原稿台に対する外光の影響や原稿照射用のランプの点灯状態（ランプをＯＮしたが光量が安定していない状態で読み取りを実行する等）を理由として読み取りデータから原稿のサイズを判定することができないケース考えられる。
【００５２】
＜原稿読み取り処理＞
次に、原稿サイズ検出処理の後で行われる原稿読み取り処理について説明する。
【００５３】
本実施形態の画像読取装置１においては、原稿サイズの検出動作が必要なときにのみ上述の原稿サイズ検出処理を実行する。これにより、原稿サイズの検出が不必要なときには上述の原稿サイズ検出処理を行わないので、無駄な動作をなくし、画像読取装置１のユーザがランプ光により眩しいと感じる期間を減らすことが可能となる。
【００５４】
また、原稿サイズ検出処理の実施後、ランプ３を消灯せずにそのまま原稿読み取り処理を行う。このように動作することにより、再度ランプを点灯することによるランプの安定時間を短縮して原稿読み取りのスキャンの開始時間を短縮することが可能となる。
【００５５】
以下、図１１を参照して、具体的に説明する。図１１は、画像読み取り処理のフローを示す。
【００５６】
まず、設定されている原稿読み取りのモードを判定する（ステップＳ２１）。ここで、原稿読み取りのモードとしては、上記の原稿サイズ検出処理を行う『原稿サイズ検出モード』と、原稿サイズを予めコントロールパネル３０から設定する『原稿サイズ指定モード』と、がある。
【００５７】
原稿読み取りモードとして、『原稿サイズ検出モード』が設定されている場合には（ステップＳ２２／Ｙｅｓ）、原稿サイズの検出処理を実行する（ステップＳ２３）。この原稿サイズの検出処理は、上述した図１０に示す原稿サイズの検出処理を実行する。そして、原稿サイズの検出処理後に、ランプ３を消灯せずにそのまま原稿内容の読み取り処理を実行する（ステップＳ２４）。
【００５８】
他方、原稿読み取りモードとして、『原稿サイズ指定モード』が設定されている場合には（ステップＳ２２／Ｎｏ）、図１０に示す原稿サイズの検出処理を実行せずに、指定されている原稿サイズで、すなわち予め指定された読み取り範囲で、原稿内容の読み取り処理を行う（ステップＳ２５）。
【００５９】
このように画像読み取り処理を行うことにより、原稿サイズの検出処理が不要な『原稿サイズ指定モード』が設定されている際には、原稿サイズ検出処理を行わずに原稿内容の読み取り処理を行うので、画像読取装置１のユーザがランプ光により眩しいと感じる期間を減らすことが可能となり、ユーザに資することが可能となる。
【００６０】
また、『原稿サイズ検出モード』での原稿サイズの検出処理後、ランプ３を消灯させることなく、次の原稿内容の読み取り処理を実行するので、原稿サイズの検出処理、原稿内容の読み取り処理の一連の処理中でのランプ３の点灯期間を短縮することができ、すばやい原稿のスキャニング動作を行うことが可能となる。また、画像読取装置１のユーザが、ランプ光により眩しいと感じる期間を減らすことが可能となり、ユーザに資することが可能となる。
【００６１】
＜他の実施形態＞
なお、上記実施形態において、図１１の原稿読み取り処理のフローではなく、図１２に示す原稿読み取り処理のフローを実行するようにしても良い。図１２に示す処理フローは、原稿サイズ検出処理が失敗した場合を考慮したフローである。
【００６２】
図１２を参照して具体的に説明する。
【００６３】
まず、設定されている原稿読み取りのモードを判定する（ステップＳ３１）。原稿読み取りモードとして、『原稿サイズ検出モード』が設定されている場合には（ステップＳ３２／Ｙｅｓ）、原稿サイズの検出処理を実行する（ステップＳ３３）。この原稿サイズの検出処理は、上述した図１０に示す原稿サイズの検出処理を実行する。
【００６４】
ステップＳ３３の原稿サイズの検出処理において、原稿サイズの検出に成功した場合には（ステップＳ３４／Ｙｅｓ）、ランプ３を消灯せずにそのまま原稿内容の読み取り処理を実行する（ステップＳ３５）。
【００６５】
他方、ステップＳ３３の原稿サイズの検出処理において、原稿サイズの検出に失敗した場合には（ステップＳ３４／Ｎｏ）、ランプ３を消灯し（ステップＳ３６）、原稿内容読み取り処理を実行せずに処理を抜ける。
【００６６】
また、原稿読み取りモードとして、『原稿サイズ指定モード』が設定されている場合には（ステップＳ３２／Ｎｏ）、図１０に示す原稿サイズの検出処理を実行せずに、指定されている原稿サイズで、原稿内容の読み取り処理を行う（ステップＳ３７）。
【００６７】
このように画像読み取り処理を行うことにより、原稿サイズの検出に失敗した場合には、速やかにランプ３を消灯し原稿読み取り処理を抜けるので、画像読取装置１のユーザが、ランプ光により眩しいと感じる期間を減らすことが可能となり、ユーザに資することが可能となる。
【００６８】
なお、上記図１２のフローにおいて、原稿サイズの読み取りが失敗する原稿の内容を読み取るためには、原稿読み取りのモードを、指定されている原稿サイズで、原稿内容の読み取り処理を行う『原稿サイズ指定モード』に変更しなくてはならない。この原稿読み取りモードの変更は、ユーザがコントロールパネル３０から行う必要がある。
【００６９】
そこで、図１２のフローにおいて、原稿サイズ検出を失敗してしまった（Ｓ３４／Ｎｏ）には、『原稿サイズが検出できません』等のアナウンスメッセージやモード変更を促すメッセージを、コントロールパネル３０の液晶ディスプレイに表示し、モード変更を促すようにしても良い。このようにすれば、ユーザはモード変更の必要性に気付くことができるのでユーザの利便性に資することができる。
【００７０】
なお、原稿サイズの失敗の際に、コントロールパネル３０の液晶ディスプレイにメッセージを表示するだけではなく、例えばスピーカからのアラームなどによる音での報知や、ＬＥＤなどを点灯させることにより光による報知をも同時に行うようにするとなお良い。このようにすればユーザは、より容易に且つ確実にモード変更の必要性に気付くことが可能となる。
【００７１】
＜付記事項＞
なお、上述の実施形態は本発明の好適な実施形態の一例を示すものにすぎず、本発明の実施の形態を限定する趣旨のものではない。よって、本発明は上述の実施形態に限定されることはなく、その要旨を逸脱しない範囲内において種々の変形実施を行うことが可能である。
【図面の簡単な説明】
【００７２】
【図１】画像読取装置の概略構成を示す側面図である。
【図２】画像読取装置の駆動系の構成を示す斜視図である。
【図３】画像読取装置の内部回路を示すブロック図である。
【図４】ＩＰＵ内の回路構成を示すブロック図である。
【図５】ＩＰＵ内の回路間でやり取りされる各種信号を説明するための図である。
【図６】副走査方向に関する信号のタイミングチャートを示す図である。
【図７】主走査方向に関する信号のタイミングチャートを示す図である。
【図８】ラインメモリへの書き込み領域を説明するための図である。
【図９】白黒判定処理のフローを示す図である。
【図１０】原稿サイズの検出フローを示す図である。
【図１１】画像読み取り処理のフローを示す図である。
【図１２】画像読み取り処理のフローを示す図である。
【符号の説明】
【００７３】
１    画像読取装置
１０    ＣＣＤ
２０    ＣＰＵ
２２    ＩＰＵ
２４    画像処理モジュール
２５    メモリ制御部
２６    ラインメモリ
【図１】
2007081868.tif 000003
【図２】
2007081868.tif 000004
【図３】
2007081868.tif 000005
【図４】
2007081868.tif 000006
【図５】
2007081868.tif 000007
【図６】
2007081868.tif 000008
【図７】
2007081868.tif 000009
【図８】
2007081868.tif 000010
【図９】
2007081868.tif 000011
【図１０】
2007081868.tif 000012
【図１１】
2007081868.tif 000013
【図１２】
2007081868.tif 000014